(57)【要約】      （修正有）【課題】売上データ処理装置がネットワークを介してサーバ装置に接続され、売上データ処理装置に記憶されていない商品情報をサーバ装置から取得する際に、ネットワークを効果的に利用できるようにする。【解決手段】売上データ処理装置１は、情報センタサーバ２で提供される商品情報照会サービスを利用する場合、通信部及び通信ネットワークＮを介して情報センタサーバ２に接続し、コード情報を情報センタサーバ２に送信し、情報センタサーバ２からコード情報に対応する主商品の商品情報を取得すると共に、主商品に関連する関連商品のコード情報及び商品情報を同時に取得する。【選択図】図１
2009053966.tif 000002
【特許請求の範囲】
【請求項１】
売上データ処理装置とサーバ装置とがネットワークを介して接続されるネットワークシステムであって、
前記売上データ処理装置は、
コード情報に対応する商品情報を記憶する商品情報記憶手段と、
売上登録の際に、読み取られたコード情報に対応する商品情報が前記商品情報記憶手段に記憶されているか否かを判別する判別手段と、
前記商品情報が記憶されていないと判別された場合は、当該コード情報を前記サーバ装置に送信し、当該コード情報に対応する商品情報及び関連商品の商品情報を前記サーバ装置から取得する取得手段と、
前記取得された商品情報及び関連商品の商品情報を前記商品情報記憶手段に記憶させる記憶制御手段と、を具備し、
前記サーバ装置は、
コード情報に対応する商品情報及び関連商品の商品情報を記憶する商品情報データベース記憶手段と、
前記売上データ処理装置から送信される前記コード情報に対応する商品情報及び関連商品の商品情報を前記商品情報データベース記憶手段から読み出す読出手段と、
前記読み出された前記コード情報に対応する商品情報及び関連商品の商品情報を前記売上データ処理装置に送信する送信手段と、
を具備するネットワークシステム。
【請求項２】
前記読出手段は、前記コード情報に対応する商品情報及び関連商品の商品情報を読み出す際に、前記コード情報に対応する商品情報のコマーシャルメッセージを併せて読み出し、
前記送信手段は、前記コード情報に対応する商品情報と、関連商品の商品情報と、コマーシャルメッセージとを前記売上データ処理装置に送信し、
前記取得手段は、前記コード情報に対応する商品情報と、関連商品の商品情報と、コマーシャルメッセージとを前記サーバ装置から取得する請求項１記載のネットワークシステム。
【請求項３】
前記売上データ処理装置は、前記取得手段により取得されたコマーシャルメッセージを印字手段に印字出力させる印字制御手段を具備する請求項２記載のネットワークシステム。
【請求項４】
前記売上データ処理装置は、前記取得手段により取得されたコマーシャルメッセージを表示手段に表示出力させる表示制御手段を具備する請求項２記載のネットワークシステム。
【請求項５】
前記読出手段は、前記コード情報に対応する商品情報及び関連商品の商品情報を読み出す際に、前記コード情報に対応する商品情報に関連するクーポン情報を読み出し、
前記送信手段は、前記コード情報に対応する商品情報と、関連商品の商品情報と、クーポン情報とを前記売上データ処理装置に送信し、
前記取得手段は、前記コード情報に対応する商品情報と、関連商品の商品情報と、クーポン情報とを前記サーバ装置から取得する請求項１記載のネットワークシステム。
【請求項６】
前記売上データ処理装置は、前記取得手段により取得されたクーポン情報を印字手段に印字出力させる印字制御手段を具備する請求項５記載のネットワークシステム。
【請求項７】
前記記憶制御手段は、前記商品情報記憶手段のレコードにアクセスフラグを設定でき、
前記取得手段は、前記商品情報が記憶されていると判別された場合でも、前記コード情報に対応するレコードに前記アクセスフラグが設定されている場合は、前記コード情報を前記サーバ装置に送信し、前記コード情報に対応する商品情報及び関連商品の商品情報を前記サーバ装置から取得する請求項１記載のネットワークシステム。
【発明の詳細な説明】
【技術分野】
【０００１】
本発明は、売上データ処理装置とサーバ装置とがネットワークを介して接続されるネットワークシステムに関する。
【背景技術】
【０００２】
ＥＣＲ（Electronic Cash Register：電子式金銭登録機），ＰＯＳ（Point of Sales）端末等の売上データ処理装置において、売上データ登録を行う際には、商品に設けられたバーコードをバーコードスキャナにより読取り、読み取ったバーコードに対応する商品名および単価を取得して登録し、その登録した結果として売上個数と金額を加算する。ＰＯＳ端末では、バーコードに対する商品名、単価は、自身のプライスルックアップ記憶部に管理すると共に、自身のプライスルックアップ記憶部に記憶されていないバーコードについては、マスタＰＯＳ端末やホストコンピュータに、その都度アクセスしている。（例えば、特許文献１参照）。
【特許文献１】特開平０６−４７７０号公報
【発明の開示】
【発明が解決しようとする課題】
【０００３】
しかしながら、普及機ＥＣＲでは、毎回登録の都度通信を行う余裕が無いため、バーコードに対する商品名、単価は各ＥＣＲローカルのファイル（スキャニングファイル）に管理され、ここに無い場合は、部門名および単価をオペレータが手動で入力して登録している。このように、普及機ＥＣＲでは、スキャニングファイルを個別に管理している為、商品の入れ替え時などでは手動による商品情報登録が多くなり、オペレータの操作が煩雑になるという問題がある。また、普及機ＥＣＲでも、インターネット等のネットワークを介してサーバ装置に接続し、サーバ装置からバーコードに対応する商品名、単価を取得することが考えられるが、専用回線を利用するＰＯＳ端末と比べて通信効率が悪く、頻繁に通信することができないという不都合がある。そこで、上述のように普及機ＥＣＲがネットワークを介してサーバ装置に接続する場合は、なるべく効果的にネットワークを利用することが要望されている。
【０００４】
本発明の課題は、売上データ処理装置がネットワークを介してサーバ装置に接続され、売上データ処理装置に記憶されていない商品情報をサーバ装置から取得する際に、ネットワークを効果的に利用できるようにすることである。
【課題を解決するための手段】
【０００５】
請求項１記載の発明のネットワークシステムは、売上データ処理装置とサーバ装置とがネットワークを介して接続されるネットワークシステムであって、前記売上データ処理装置は、コード情報に対応する商品情報を記憶する商品情報記憶手段と、売上登録の際に、読み取られたコード情報に対応する商品情報が前記商品情報記憶手段に記憶されているか否かを判別する判別手段と、前記商品情報が記憶されていないと判別された場合は、当該コード情報を前記サーバ装置に送信し、当該コード情報に対応する商品情報及び関連商品の商品情報を前記サーバ装置から取得する取得手段と、前記取得された商品情報及び関連商品の商品情報を前記商品情報記憶手段に記憶させる記憶制御手段と、を具備し、前記サーバ装置は、コード情報に対応する商品情報及び関連商品の商品情報を記憶する商品情報データベース記憶手段と、前記売上データ処理装置から送信される前記コード情報に対応する商品情報及び関連商品の商品情報を前記商品情報データベース記憶手段から読み出す読出手段と、前記読み出された前記コード情報に対応する商品情報及び関連商品の商品情報を前記売上データ処理装置に送信する送信手段と、を具備する。
【０００６】
請求項２記載の発明は、請求項１記載のネットワークシステムにおいて、前記読出手段は、前記コード情報に対応する商品情報及び関連商品の商品情報を読み出す際に、前記コード情報に対応する商品情報のコマーシャルメッセージを併せて読み出し、前記送信手段は、前記コード情報に対応する商品情報と、関連商品の商品情報と、コマーシャルメッセージとを前記売上データ処理装置に送信し、前記取得手段は、前記コード情報に対応する商品情報と、関連商品の商品情報と、コマーシャルメッセージとを前記サーバ装置から取得する。
【０００７】
請求項３記載の発明は、請求項２記載のネットワークシステムにおいて、前記売上データ処理装置は、前記取得手段により取得されたコマーシャルメッセージを印字手段に印字出力させる印字制御手段を具備する。
【０００８】
請求項４記載の発明は、請求項２記載のネットワークシステムにおいて、前記売上データ処理装置は、前記取得手段により取得されたコマーシャルメッセージを表示手段に表示出力させる表示制御手段を具備する。
【０００９】
請求項５記載の発明は、請求項１記載のネットワークシステムにおいて、前記読出手段は、前記コード情報に対応する商品情報及び関連商品の商品情報を読み出す際に、前記コード情報に対応する商品情報に関連するクーポン情報を読み出し、前記送信手段は、前記コード情報に対応する商品情報と、関連商品の商品情報と、クーポン情報とを前記売上データ処理装置に送信し、前記取得手段は、前記コード情報に対応する商品情報と、関連商品の商品情報と、クーポン情報とを前記サーバ装置から取得する。
【００１０】
請求項６記載の発明は、請求項５記載のネットワークシステムにおいて、前記売上データ処理装置は、前記取得手段により取得されたクーポン情報を印字手段に印字出力させる印字制御手段を具備する。
【００１１】
請求項７記載の発明は、請求項１記載のネットワークシステムにおいて、前記記憶制御手段は、前記商品情報記憶手段のレコードにアクセスフラグを設定でき、前記取得手段は、前記商品情報が記憶されていると判別された場合でも、前記コード情報に対応するレコードに前記アクセスフラグが設定されている場合は、前記コード情報を前記サーバ装置に送信し、前記コード情報に対応する商品情報及び関連商品の商品情報を前記サーバ装置から取得する。
【発明の効果】
【００１２】
本発明によれば、売上データ処理装置がネットワークを介してサーバ装置に接続され、売上データ処理装置に記憶されていない商品情報をサーバ装置から取得する際に、記憶されていない商品情報だけでなく、その商品に関連する関連商品の商品情報も一括して取得することで、ネットワークを効果的に利用することができる。
【発明を実施するための最良の形態】
【００１３】
以下、図面を参照して本発明の実施形態を説明する。まず、本実施形態における構成を説明する。
図１は、本実施形態に係るネットワークシステム１００の全体構成を示す。図１に示すように、ネットワークシステム１００は、ＥＣＲ（Electronic Cash Register：電子式金銭登録機），ＰＯＳ（Point of Sales）端末等の売上データ処理装置１と、サーバ装置としての情報センタサーバ２とを通信ネットワークＮを介して接続される構成である。本実施形態では、複数の売上データ処理装置１と、情報センタサーバ２とが通信ネットワークＮを介して接続されている。
【００１４】
売上データ処理装置１と情報センタサーバ２とは、インターネット等の通信ネットワークＮを介して接続される。通信ネットワークＮにはＶＰＮ（Virtual Private Network）が構築されている。また、ネットワークシステム１００には、一店舗につき１台又は複数台の売上データ処理装置１が設置されている。そして、ネットワークシステム１００には、複数の店舗に設置された複数の売上データ処理装置１が接続される構成を想定している。
なお、図１では、ネットワークシステム１００として、便宜上、３台の売上データ処理装置１が情報センタサーバ２に接続される例を示しているが、売上データ処理装置１の台数は、これに限定されるものではなく、売上データ処理装置１の台数は任意である。
通信ネットワークＮは、例えばインターネット等のＷＡＮ（Wide Area Network；広域通信網）を想定しているが、ＬＡＮ（Local Area Network；構内通信網）等を含めてもよく、イントラネット（intranet）、電話回線、専用線、移動体通信網、通信衛星網、ＣＡＴＶ（Cable Television）回線、インターネットプロバイダ等を含めてもよい。また、通信ネットワークＮのネットワーク形態は、有線ネットワークに限らず、無線ネットワークでもよく、有線ネットワークと無線ネットワークとを組み合わせたものでもよい。
【００１５】
情報センタサーバ２は、通信ネットワークＮを介して売上データ処理装置１から送信されたコード情報を受信し、売上データ処理装置１から送信されたコード情報に対応する商品名，単価等の商品情報を商品情報データベースから読み出して売上データ処理装置１に送信する商品情報照会サービスを売上データ処理装置１に提供できるように構成されている。
【００１６】
また、情報センタサーバ２は、売上データ処理装置１から送信されたコード情報に対応する主商品に関連する関連商品を関連商品テーブルから検索し、関連商品に対応するコード情報と、商品名，単価等の商品情報とを商品情報データベースから読み出して売上データ処理装置１に送信する関連商品提供サービスを売上データ処理装置１に提供できるように構成されている。
【００１７】
さらに、情報センタサーバ２は、売上データ処理装置１から送信されたコード情報に対応する地域別のコマーシャルメッセージを地域別コマーシャルメッセージテーブルから検索して売上データ処理装置１に送信するコマーシャルメッセージ提供サービスを売上データ処理装置１に提供できるように構成されている。
【００１８】
また、情報センタサーバ２は、売上データ処理装置１から送信されたコード情報に対応する商品に付加されたクーポン情報を商品情報データベースから読み出して売上データ処理装置１に送信するクーポン情報提供サービスを売上データ処理装置１に提供できるように構成されている。
【００１９】
情報センタサーバ２は、これらのサービスを提供するために、商品情報データベース24aと、関連商品テーブル24bと、地域別コマーシャルメッセージテーブル24cと、を記憶した記憶部２４を備えている。情報センタサーバ２における記憶部２４の構成は、図５により後述する。
【００２０】
図２は、売上データ処理装置１の主要構成を示すブロック図である。図２に示すように、売上データ処理装置１は、ＣＰＵ（Central Processing Unit）１０と、入力部１１と、表示部１２と、ＲＡＭ（Random Access Memory）１３と、記憶部１４と、通信部１５と、印字部１６と、ドロア１７と、スキャナ部１８と、を備えて構成され、各部はバス１９を介して接続される。
【００２１】
ＣＰＵ１０は、記憶部１４に記憶された制御プログラムを読み出してＲＡＭ１３に展開し、ＲＡＭ１３に展開したプログラムに基づいて各種の処理を実行する。具体的にＣＰＵ１０は、売上データ処理装置１が情報センタサーバ２で提供される商品情報照会サービスを利用する場合、記憶部１４の図示しないメモリから、売上データ処理装置１を識別するための電子レジスタコードと、店舗支援ポート番号とを読み出し、通信部１５によって、店舗支援ポート番号を基に情報センタサーバ２の店舗支援ポートに接続させる。
【００２２】
入力部１１は、売上データ処理装置１のモード（登録、精算、点検、戻、設定等）を切り換えるためのモードキー（あるいはモード切換スイッチ）、現金／預かり金キー、電子決済を指示するための電子決済キー、数値を入力するためのテンキー、文字を入力するための文字キー、情報センタサーバ２との通信接続を指示するための接続釦等の各種のキー又は釦を備え、キー又は釦の操作に応じた操作信号をＣＰＵ１０に出力する。
【００２３】
表示部１２は、ＬＣＤ（Liquid Crystal Display）等のディスプレイを有し、ＣＰＵ１０から入力される表示制御信号に従って、表示処理を行う。また、表示部１２は、売上登録された商品に対応するコマーシャルメッセージを印字出力する。
【００２４】
ＲＡＭ１３は、ＣＰＵ１０により実行される制御プログラムをプログラム格納エリアに展開する。また、ＲＡＭ１３は、入力データ及び制御プログラムの実行時に生じる処理結果のデータを、ワークエリアに一時的に格納する。また、ＲＡＭ１３は、取引毎に売上データを加算して記憶するための合計メモリを有する。また、ＲＡＭ１３の記憶内容は、図示しないバックアップ用電池からの電源供給により、売上データ処理装置１の電源がオフされた後も保持されている。
【００２５】
記憶部１４は、ＨＤＤ（Hard Disc Drive）又は不揮発性の半導体メモリ等により構成され、ＣＰＵ１０により実行される制御プログラム及びこの制御プログラムの実行時に必要なデータ等を記憶する。
【００２６】
通信部１５は、通信ネットワークＮを介して情報センタサーバ２に通信接続するための制御を行う。通信部１５は、記憶部１４の図示しないメモリ領域に記憶されたグローバルＩＰアドレスに基づいて情報センタサーバ２との通信を確立した後、情報センタサーバ２から割り当てられるプライベートＩＰアドレスに基づいて情報センタサーバ２との通信を行う。
【００２７】
印字部１６は、例えばサーマルプリンタであり、顧客に渡すレシート用のロール紙と、店舗が売上データを記録して保存するジャーナル用（商品取引内容の記録用）のロール紙とを有し、ＣＰＵ１０から入力される印刷制御信号に従って、取引された各商品の商品名（商品キャラクタ）、単価、合計金額等を売上明細として各ロール紙に印字出力する。また、印字部１６は、売上登録された商品に対応するコマーシャルメッセージを印字出力する。
【００２８】
ドロア１７は、硬貨や紙幣等の現金を収納する引き出しであり、入力部１１の操作（現金／預かり金キーの押下操作）によるＣＰＵ１０からの信号により解放される。
【００２９】
スキャナ部１８は、商品に設けられたバーコード，２次元コード等のコード情報に光ビームを照射して、コード情報を光学的に読み取るコード情報読取装置である。スキャナ部１８の構成としては、オペレータが手に持って操作するハンディタイプ、光ビームの照射部が固定された固定タイプのいずれであってもよい。
【００３０】
通信ネットワークＮは、例えばインターネット等のＷＡＮ（Wide Area Network；広域通信網）を想定しているが、ＬＡＮ（Local Area Network；構内通信網）等を含めてもよく、イントラネット（intranet）、電話回線、専用線、移動体通信網、通信衛星網、ＣＡＴＶ（Cable Television）回線、インターネットプロバイダ等を含めてもよい。また、通信ネットワークＮのネットワーク形態は、有線ネットワークに限らず、無線ネットワークでもよく、有線ネットワークと無線ネットワークとを組み合わせたものでもよい。
【００３１】
次に、情報センタサーバ２の構成を説明する。
図３は、情報センタサーバ２の主要構成を示すブロック図である。図３に示すように、情報センタサーバ２は、ＣＰＵ（Central Processing Unit）２０と、入力部２１と、ＲＡＭ（Random Access Memory）２２と、表示部２３と、記憶部２４と、通信部２５と、計時部２６と、を備えており、各部がバス２７を介して接続される。
【００３２】
ＣＰＵ２０は、情報センタサーバ２の各部を中央制御する。ＣＰＵ２０は、記憶部２４に記憶されているシステムプログラム及び各種アプリケーションプログラムの中から指定されたプログラムをＲＡＭ２２に展開し、ＲＡＭ２２に展開されたプログラムとの協働で、各種処理を実行する。
【００３３】
ＣＰＵ２０は、後述する情報センタサーバプログラムとの協働で、売上データ処理装置１から送信されるコード情報及び地域番号を受信し、受信したコード情報が示す主商品のコード情報、コード情報に対応づけて記憶されている商品名、単価等の商品情報を図５により後述する商品情報データベース24aから読み出して、売上データ処理装置１に送信する。
【００３４】
また、ＣＰＵ２０は、主商品に対応する関連商品が、図５により後述する関連商品テーブル24bに記憶されている場合は、その関連商品のコード情報、コード情報に対応づけて記憶されている関連商品の商品名、単価等の商品情報を図５により後述する商品情報データベース24aから読み出して、売上データ処理装置１に送信する。
【００３５】
更に、ＣＰＵ２０は、売上データ処理装置１から送信されたコード情報及び地域番号に対応するコマーシャルメッセージ内容を図５により後述する地域別コマーシャルメッセージテーブル24cから読み出して、売上データ処理装置１に送信する。
【００３６】
入力部２１は、カーソルキー、文字、数字入力キー及び各種機能キーなどを備えたキーボードを含む構成とし、操作者により各キーが押下された操作信号をＣＰＵ２０に出力する。また、入力部２１は、マウス等のポインティングデバイスを含み、位置入力信号を受け付けてＣＰＵ２０に送信することとしてもよい。
【００３７】
ＲＡＭ２２は、揮発性のメモリである。また、ＲＡＭ２２は、実行される各種プログラムやこれら各種プログラムに係るデータ等を格納するワークエリアを有する。
【００３８】
表示部２３は、ＬＣＤ（Liquid Crystal Display）、ＣＲＴ（Cathode Ray Tube）等で構成され、ＣＰＵ２０からの表示制御信号に従って画面表示を行う。
【００３９】
記憶部２４は、磁気記録媒体を有するＨＤＤ（Hard Disk Drive）等により構成され、各種プログラム及び各種データを記録媒体から読み出し及び書き込み可能に記憶する。記憶部２４のファイル構成及び各ファイルのレコード構造は図５により後述する。
【００４０】
通信部２５は、モデム、ＴＡ（Terminal Adapter）、ルータ、ネットワークカード等により構成される。通信部２５は、接続される通信ネットワークＮ上の売上データ処理装置１と情報を送受信する。
計時部２６は、クロックを内蔵し、現在時刻，現在日時等の計時情報を出力する。
【００４１】
次に、図４を参照して、売上データ処理装置１における記憶部１４のファイル構成と、各ファイルのレコード構造とを説明する。
図４（Ａ）は、記憶部１４のファイル構成を示す図である。
図４（Ａ）に示すように、売上データ処理装置１の記憶部１４には、PLUファイル14aと、売上データファイル14bと、コマーシャルメッセージファイル14cと、地域番号設定ファイル14dと、が記憶されている。
【００４２】
PLUファイル14aは、バーコード，２次元コード等のコード情報に対応づけて、商品名（商品キャラクタ），単価等の商品情報を記憶するファイルである。
図４（Ｂ）は、PLUファイル14aのレコード構造を示す図である。図４（Ｂ）に示すように、PLUファイル14aは、複数のコード情報毎にレコードが夫々設けられ、コード情報に対応づけて、商品名（商品キャラクタ）、単価等の商品情報が記憶される。なお、商品情報は、商品名（商品キャラクタ），単価に限定されるものではなく、割引率等の情報を含めてもよい。
【００４３】
売上データファイル14bは、売上登録により入力された売上データを、部門別，商品別，価格帯別，担当者別等に区分して累計記憶するファイルである。
【００４４】
コマーシャルメッセージファイル14cは、バーコード，２次元コード等のコード情報に対応づけて、商品に関するコマーシャルメッセージ（宣伝メッセージ）を記憶するファイルである。
図４（Ｃ）は、コマーシャルメッセージファイル14cのレコード構造を示す図である。図４（Ｃ）に示すように、コマーシャルメッセージファイル14cは、複数のコード情報毎にレコードが夫々設けられ、コード情報に対応づけて、コマーシャルメッセージが記憶される。
なお、コマーシャルメッセージは、商品の特徴を紹介するテキストデータや、商品を宣伝するためのテキストデータであるが、商品に対応する画像データや図形データ等を含めてもよい。
【００４５】
地域番号設定ファイル14dは、売上データ処理装置１が設置された地域（店舗の住所）に対応する地域番号（例えば「1」）を記憶するファイルである。地域番号設定ファイル14dの内容は、入力部１１のオペレータ操作に応じて、ユーザが任意に設定できるように構成されている。通常、売上データ処理装置１を初めて店舗に設置する際に、その店舗の住所に対応する地域番号を入力部１１のオペレータ操作により入力し、入力された地域番号を地域番号設定ファイル14dに設定登録する。
【００４６】
次に、図５を参照して、情報センタサーバ２における記憶部２４のファイル構成と、各ファイルのレコード構造とを説明する。
図５（Ａ）は、記憶部２４のファイル構成を示す図である。図５（Ａ）に示すように、情報センタサーバ２の記憶部２４には、商品情報データベース24aと、関連商品テーブル24bと、地域別コマーシャルメッセージテーブル24cと、が記憶される。
【００４７】
商品情報データベース24aは、バーコード，２次元コード等のコード情報に対応づけて、商品名（商品キャラクタ），単価等の商品情報を記憶するデータベースである。
図５（Ｂ）は、商品情報データベース24aのレコード構造を示す図である。図５（Ｂ）に示すように、商品情報データベース24aは、複数のコード情報毎にレコードが夫々設けられ、コード情報に対応づけて、商品名（商品キャラクタ）、単価等の商品情報が記憶される。なお、商品情報は、商品名（商品キャラクタ），単価に限定されるものではなく、割引率等の情報を含めてもよい。
【００４８】
関連商品テーブル24bは、主商品に対応するコード情報と、主商品に関連する関連商品のコード情報と、地域テーブル番号と、ＣＭレコード番号とを対応づけて記憶するテーブルである。
図５（Ｃ）は、関連商品テーブル24bのレコード構造を示す図である。図５（Ｃ）に示すように、関連商品テーブル24bは、主商品に対応する複数のコード情報毎にレコードが夫々設けられ、コード情報に対応づけて、主商品に関連する１または複数の関連商品のコード情報と、主商品に対応する地域別コマーシャルメッセージテーブル24cを特定するための地域テーブル番号と、地域別コマーシャルメッセージテーブル24cにおけるＣＭレコードを特定するためのＣＭレコード番号とが記憶される。
なお、商品によっては、関連商品が存在しないものもあり、この場合、関連商品のコード情報は記憶されていない。
【００４９】
地域別コマーシャルメッセージテーブル24cは、売上データ処理装置１が設置された地域（店舗の住所）に対応する地域毎に設けられており、ＣＭレコード番号に対応づけて、主商品に関するコマーシャルメッセージ内容を記憶するファイルである。
図５（Ｄ）は、地域別コマーシャルメッセージテーブル24cのレコード構造を示す図である。図５（Ｄ）に示すように、地域別コマーシャルメッセージテーブル24cは、地域1〜地域n毎にテーブルが構成され、各地域に対応するテーブルは、ＣＭレコードを示す複数のＣＭレコード番号毎にレコードが夫々設けられ、ＣＭレコード番号に対応づけて、コマーシャルメッセージ内容が記憶される。この場合、コマーシャルメッセージは、商品の特徴を紹介するテキストデータや、商品を宣伝するためのテキストデータであるが、商品に対応する画像データや図形データ等を含めてもよい。
図５（Ｄ）の例では、地域1と地域2の地域別コマーシャルメッセージテーブル24cを示しているが、地域別コマーシャルメッセージテーブル24cは、売上データ処理装置１が設置されている地域の数だけ用意されている。例えば、都道府県毎に地域を区分したり、関東，中部，東海等のブロック毎に地域を区分したりしてもよい。
【００５０】
次に、図６〜図９を参照して、本実施形態における動作を説明する。まず、図６を参照して、売上データ処理装置１が情報センタサーバ２に送信する送信データと、売上データ処理装置１が情報センタサーバ２から受信する受信データとのデータ構成を説明する。図６は、売上データ処理装置１の送信データ及び受信データのデータ構成を示す図である。
【００５１】
図６（Ａ）は、売上データ処理装置１が情報センタサーバ２に送信する送信データのデータ構成を示す図である。この場合、送信データとして「コード情報1」，「地域番号1」を送信する例を示している。
図６（Ｂ）は、売上データ処理装置１が情報センタサーバ２から受信する受信データのデータ構成を示す図である。この場合、受信データとして「コード情報1」，「商品名1」，「単価1」，「コマーシャルメッセージ11」を受信する例を示している。
即ち、売上データ処理装置１が「コード情報1」，「地域番号1」を送信すると、これに応答して、情報センタサーバ２が「コード情報1」，「商品名1」，「単価1」，「コマーシャルメッセージ11」を送信することを意味している。
【００５２】
図６（Ｃ）は、売上データ処理装置１が送信する送信データのデータ構成を示す図である。この場合、送信データとして「コード情報2」，「地域番号2」を送信する例を示している。
図６（Ｄ）は、売上データ処理装置１が受信する受信データのデータ構成を示す図である。この場合、受信データとして「コード情報2」，「商品名2」，「単価2」と、「コード情報21」，「商品名21」，「単価21」と、「コード情報22」，「商品名22」，「単価22」と、「コード情報23」，「商品名23」，「単価23」と、「コマーシャルメッセージ21」とを受信する例を示している。
即ち、売上データ処理装置１が「コード情報2」，「地域番号2」を送信すると、これに応答して、情報センタサーバ２が「コード情報2」，「商品名2」，「単価2」と、「コード情報21」，「商品名21」，「単価21」と、「コード情報22」，「商品名22」，「単価22」と、「コード情報23」，「商品名23」，「単価23」と、「コマーシャルメッセージ21」を送信することを意味している。
【００５３】
次に、図７を参照して、売上データ処理装置１で実行される登録処理を説明する。
図７は、登録処理の動作を示すフローチャートである。登録処理は、売上データ処理装置１のＣＰＵ１０の制御の下で実行されるものであり、入力部１１のモードキーが登録モードに切り換えられると、図７の登録処理が開始される。
【００５４】
まず、ステップＳ10において、「キー入力？」即ち、入力部１１が操作されてキー入力があったか否か判別される。このステップＳ10でキー入力が有りと判別されると（ステップＳ10；ＹＥＳ）、ステップＳ11に進み、キー入力処理が実行される。
ステップＳ11のキー入力処理では、入力されたキーを取り込み、キーに応じた処理を実行したり、キーデータを記憶したりする処理が実行される。
ステップＳ10でキー入力が無いと判別されると（ステップＳ10；NO）、ステップＳ12に進む。ステップＳ12では、「スキャナ入力？」即ち、スキャナ部１８でコード情報（バーコード，２次元コード等）が読み取られたか否かが判別される。この場合、オペレータが売上登録を行う商品に設けられたコード情報をスキャナ部１８で読み取らせると、スキャナ部１８からコード情報が出力され、これをＣＰＵ１０が取り込む。
【００５５】
ステップＳ12で、スキャナ部１８でコード情報が読み取られていないと判別されると（ステップＳ12；NO）、ステップＳ10に戻り、入力部１１が操作されてキー入力があるか、スキャナ部１８でコード情報が読み取られるまで、ステップＳ10及びステップＳ12の処理が繰り返し実行される。ステップＳ12において、スキャナ部１８でコード情報が読み取られたと判別されると（ステップＳ12；YES）、ステップＳ13に進む。
ステップＳ13では、ＣＰＵ１０がスキャナ部１８から出力されるコード情報を取得し、取得したコード情報をＲＡＭ１３の所定のメモリ領域に格納する。
【００５６】
次のステップＳ14では、スキャナ部１８で読み取られたコード情報に対応する商品情報（商品名、単価）をPLUファイル14aから検索する。即ち、ＣＰＵ１０は、PLUファイル14aの先頭レコードからコード情報を順次読み出し、読み出したコード情報がＲＡＭ１３のメモリ領域に格納したコード情報と一致するか否かを判別し、PLUファイル14aの最終レコードからコード情報を読み出すまで、処理を繰り返し実行する。そして、読み出したコード情報がＲＡＭ１３に格納したコード情報と一致した場合は、PLUファイル14aからコード情報と、商品名と、単価とを読み出してＲＡＭ１３の所定のメモリ領域に格納しておく。
【００５７】
次のステップＳ15では、スキャナ部１８で読み取られたコード情報に対応する商品情報がPLUファイル14aに有ったか否か、即ち、PLUファイル14aから商品情報が検索されたか否か判別される。このステップＳ15において、読み取られたコード情報に対応する商品情報がPLUファイル14aから検索された場合（ステップＳ15；YES）は、ステップＳ16に進む。
【００５８】
ステップＳ16では、PLUファイル14aから検索された商品情報、即ち、商品名及び単価を売上データとして記憶部１４の売上データファイル14bに登録する。即ち、登録された商品の単価を売上データとして商品別に累計記憶する。このステップＳ16の商品情報登録が完了すると、ステップＳ18に進む。
また、ステップＳ15において、商品情報がPLUファイル14aから検索されなかった場合、即ち、スキャナ部１８で読み取られたコード情報に対応する商品情報がPLUファイル14aに無かった場合（ステップＳ15；NO）は、ステップＳ17の商品情報取得処理が実行される。
ステップＳ17では、PLUファイル14aに無い商品情報を情報センタサーバ２から取得する商品情報取得処理が実行される。この商品情報取得処理の動作は図８により詳しく説明する。
【００５９】
図８は、売上データ処理装置１で実行される商品情報取得処理の動作を示すフローチャートである。
まず、ステップＳ21において、売上データ処理装置１のＣＰＵ１０は、通信部１５を制御し、通信ネットワークＮを介して情報センタサーバ２に接続する。
次のステップＳ22では、ＲＡＭ１３の所定のメモリ領域に格納したコード情報を読み出す。読み出したコード情報は、ＲＡＭ１３の図示しない送信バッファに格納しておく。ステップＳ22の実行後は、ステップＳ23に進む。
ステップＳ23では、記憶部１４の地域番号設定ファイル14dに記憶された地域番号を読み出す。読み出した地域番号は、ＲＡＭ１３の図示しない送信バッファに、先に格納したコード情報と共に格納しておく。
次のステップＳ24では、送信バッファに格納したコード情報及び地域番号を、通信部１５及び通信ネットワークＮを介して情報センタサーバ２へ送信する。ステップＳ24の実行後は、ステップＳ25に進む。
【００６０】
ステップＳ25では、「データ受信？」、即ち、情報センタサーバ２から送信されたデータを通信部１５が受信したか否かが判別される。このステップＳ25で、情報センタサーバ２から送信されたデータを通信部１５が受信していないと判別された場合（ステップＳ25；NO）は、データが受信されるまでステップＳ25が繰り返し実行される。ステップＳ25において、データ受信有りと判別されると（ステップＳ25；YES）、ステップＳ26に進む。
【００６１】
ステップＳ26では、通信ネットワークＮを介して情報センタサーバ２から送信されたコード情報、商品名、単価、コマーシャルメッセージを通信部１５によって受信する。そして、受信したコード情報、商品名、単価、コマーシャルメッセージは、ＲＡＭ１３の図示しない受信バッファに格納しておく。
【００６２】
このステップＳ26では、売上データ処理装置１が図６（Ａ）に示すように「コード情報1」，「地域番号1」を送信すると、これに応答して、図６（Ｂ）に示すように、情報センタサーバ２が送信する「コード情報1」，「商品名1」，「単価1」，「コマーシャルメッセージ11」を売上データ処理装置１が受信する場合と、売上データ処理装置１が図６（Ｃ）に示すように「コード情報2」，「地域番号2」を送信すると、これに応答して、図６（Ｄ）に示すように、情報センタサーバ２が送信する「コード情報2」，「商品名2」，「単価2」と、「コード情報21」，「商品名21」，「単価21」と、「コード情報22」，「商品名22」，「単価22」と、「コード情報23」，「商品名23」，「単価23」と、「コマーシャルメッセージ21」とを売上データ処理装置１が受信する場合とがある。
【００６３】
なお、売上データ処理装置１が情報センタサーバ２から取得する商品情報は、商品名、単価、コマーシャルメッセージに限定されず、情報センタサーバ２から取得する商品情報は、商品名だけでもよい。あるいは、商品名とコマーシャルメッセージだけでもよい。
即ち、商品情報のうち単価は必須のものではなく、ユーザが単価を任意に設定できるように構成してもよいものであり、必ずしも情報センタサーバ２から取得する必要はない。
そして、ステップＳ26の実行後は、ステップＳ27に進む。
【００６４】
ステップＳ27においては、通信部１５により受信したコード情報、商品名、単価に基づいて、PLUファイル14aのレコードを生成する。この場合、レコードの構成としては、単価は必須ではなく、コード情報、商品名だけでPLUファイル14aのレコードを生成してもよい。ステップＳ27の実行後は、ステップＳ28に進む。
【００６５】
ステップＳ28では、ステップＳ27により生成されたレコードを記憶部１４のPLUファイル14aに追加登録する。この場合、追加登録されるレコードの構成は、コード情報、商品名、単価である。ステップＳ28の実行後は、ステップＳ29に進む。
ステップＳ29では、通信部１５により受信したコマーシャルメッセージを記憶部１４のコマーシャルメッセージファイル14cに追加登録する。ステップＳ29の実行後は、図７に示す登録処理のステップＳ16に戻る。
【００６６】
このようにして、図８に示す商品情報取得処理では、スキャナ部１８により読み取られたコード情報に対応する商品情報がPLUファイル14aに記憶されていない場合は、当該コード情報及び地域番号を売上データ処理装置１が情報センタサーバ２に送信すると、これに応じて、情報センタサーバ２は、コード情報、商品名、単価を売上データ処理装置１に送信するので、売上データ処理装置１は、受信したコード情報、商品名、単価に基づいてPLUファイル14aのレコードが追加登録されると共に、コード情報に対応する主商品に関連する関連商品の商品情報も合わせてPLUファイル14aに追加登録されるので、ネットワークを効果的に利用することができる。また、商品情報に関連するコマーシャルメッセージがコマーシャルメッセージファイル14cに追加登録されるので、更にネットワークを効果的に利用することができる。
【００６７】
図７に戻り、ステップＳ16では、PLUファイル14aから検索された商品情報あるいは情報センタサーバ２から取得してPLUファイル14aに追加登録された商品情報に基づいて、スキャナ部１８により読み取られたコード情報に対応する商品名、単価等の商品情報が売上データとして売上データファイル14bに登録される。ステップＳ16の実行後は、ステップＳ18に進む。
次のステップＳ18では、スキャナ部１８により読み取られたコード情報に対応するコマーシャルメッセージをコマーシャルメッセージファイル14cから読み出し、ステップＳ19に進む。
ステップＳ19では、読み出したコマーシャルメッセージを表示部12に表示出力する。例えば、読み取られたコード情報が「コード情報1」の場合は、「コマーシャルメッセージ11」を表示部12に表示出力される。これにより、売上登録された商品に対応するコマーシャルメッセージを顧客に提供できるので、顧客は自分が購入した商品がどのような商品であるかをその場で確認することができるという効果が得られる。ステップＳ19の実行後は、ステップＳ20に進む。
【００６８】
次に、ステップＳ20では、読み出したコマーシャルメッセージを印字部１６に印字出力する。即ち、売上データを印字出力するレシートにコマーシャルメッセージも印字出力される。例えば、読み取られたコード情報が「コード情報1」の場合は、「コマーシャルメッセージ11」が印字部１６に印字出力される。これにより、売上登録された商品に対応するコマーシャルメッセージをレシートとして顧客に提供できるので、顧客は自分が購入した商品がどのような商品であるかをレシートにより確認することができるという効果が得られる。
そして、ステップＳ20の終了後は、ステップＳ10に戻る。これ以降、次のキー入力あるいは、スキャナ入力を待機する。
【００６９】
次に、図９を参照して、情報センタサーバ２のＣＰＵ２０の制御の下で実行される商品情報送信処理について説明する。図９は、情報センタサーバ２で実行される商品情報送信処理の動作を示すフローチャートである。
まず、ステップＳ31では「アクセス有り？」が判別される。即ち、ステップＳ31では、通信ネットワークＮを介して売上データ処理装置１が情報センタサーバ２にアクセスしたか否かが判別される。ステップＳ31でアクセスがないと判別された場合（ステップＳ31；NO）は、ステップＳ31が繰り返し実行される。
【００７０】
このステップＳ31において、売上データ処理装置１のアクセスがあったと判別されると（ステップＳ31；YES）、ステップＳ32に進む。
ステップＳ32では、売上データ処理装置１から送信されたコード情報及び地域番号を通信部２５により受信する。受信したコード情報及び地域番号は、ＲＡＭ２２の図示しない受信バッファに格納しておく。ステップＳ32の実行後は、ステップＳ33に進む。
ステップＳ33では、受信したコード情報が示す主商品に対応する関連商品のコード情報を記憶部２４の関連商品テーブル24bから検索する。
次のステップＳ34において、主商品に対応する関連商品のコード情報が関連商品テーブル24bから検索されたか否か判別される。このステップＳ34において、主商品に対応する関連商品のコード情報が関連商品テーブル24bから検索された場合（ステップＳ34；YES）は、ステップＳ35に進む。
【００７１】
ステップＳ35では、主商品に対応するコード情報、商品名、単価と、関連商品のコード情報、商品名、単価とを通信部２５及び通信ネットワークＮを介して売上データ処理装置１に送信する。即ち、主商品に関連する関連商品が関連商品テーブル24bに記憶されている場合は、主商品に対応するコード情報、商品名、単価だけでなく、関連商品のコード情報、商品名、単価も売上データ処理装置１に送信される。この場合、主商品に関連する関連商品のコード情報が関連商品テーブル24bに複数個記憶されている場合は、それら複数のコード情報と、複数の商品名、複数の単価が売上データ処理装置１に送信される。このステップＳ35の実行後は、ステップＳ37に進む。
また、ステップＳ34において、主商品に対応する関連商品のコード情報が関連商品テーブル24bから検索されなかった場合（ステップＳ34；NO）、即ち、主商品に対応する関連商品のコード情報が関連商品テーブル24bに無かった場合は、ステップＳ36に進む。
ステップＳ36では、主商品に対応するコード情報、商品名、単価を通信部２５及び通信ネットワークＮを介して売上データ処理装置１に送信する。ステップＳ36の実行後は、ステップＳ37に進む。
【００７２】
ステップＳ37では、ステップＳ32において売上データ処理装置１から受信したコード情報と地域番号とに基づいて関連商品テーブル24bから地域テーブル及びＣＭレコードを読み出す。例えば、コード情報として「コード情報1」が受信され、地域番号として「地域番号1」が受信された場合は、地域テーブル「1」及びＣＭレコード「1」が関連商品テーブル24bから読み出される。
【００７３】
次に、ステップＳ38において、地域テーブルに対応する地域別コマーシャルメッセージテーブル24cからＣＭレコードに対応するコマーシャルメッセージ内容を読み出す。例えば、地域テーブル「1」、ＣＭレコード「1」の場合は、地域1に対応する地域別コマーシャルメッセージテーブル24cからＣＭレコード「1」に対応するコマーシャルメッセージ内容として「コマーシャルメッセージ11」が読み出される。
【００７４】
続くステップＳ39では、読み出されたコマーシャルメッセージ内容を通信部２５及び通信ネットワークＮを介して売上データ処理装置１に送信する。このステップＳ39の実行後、図９に示す商品情報送信処理が終了する。
なお、図９では、ステップＳ35及びステップＳ36でコード情報、商品名、単価を送信し、ステップＳ39でコマーシャルメッセージを送信しているが、図６に示すように、コード情報、商品名、単価、コマーシャルメッセージを一緒に送信するようにしてもよいことは勿論である。
【００７５】
次に、図１０を参照して、情報センタサーバ２の記憶部２４に記憶される商品情報データベース24aのレコード構造の変形例と、売上データ処理装置１の送信データ及び受信データの変形例とを説明する。
図１０（Ａ）は、商品情報データベース24aのレコード構造を示す図である。図１０（Ａ）に示すように、商品情報データベース24aは、複数のコード情報毎にレコードが夫々設けられ、コード情報に対応づけて、商品名、単価、クーポン情報が記憶される。なお、クーポン情報は、コード情報毎に必ず記憶されるものではなく、ユーザによって任意に設定できるように構成されている。図１０（Ａ）の例では、コード情報1とコード情報4にはクーポン情報が設定されているが、コード情報2とコード情報3にはクーポン情報が設定されていない。
【００７６】
図１０（Ｂ）は、売上データ処理装置１が送信する送信データのデータ構成を示す図であり、この場合は「コード情報1」と「地域番号1」を送信する例を示している。
図１０（Ｃ）は、売上データ処理装置１が受信する受信データのデータ構成を示す図であり、この場合は「コード情報1」と「商品名1」と「単価1」と「クーポン情報」と「コマーシャルメッセージ11」とを受信する例を示している。
【００７７】
更に、図１１を参照して、売上データ処理装置１の記憶部１４に記憶されるPLUファイル14aのレコード構造の変形例を説明する。
図１１は、PLUファイル14aのレコード構造を示す図である。図１１に示すように、PLUファイル14aは、複数のコード情報毎にレコードが夫々設けられ、コード情報に対応づけて、商品名、単価が記憶されると共に、レコードの先頭領域に強制アクセスフラグを記憶するフラグ領域が設けられている。このフラグ領域に強制アクセスフラグ「1」が記憶されている場合は、スキャナ部１８で読み取られたコード情報に対応する商品情報がPLUファイル14aに記憶されている場合も、強制的にステップＳ17に示す「商品情報取得処理」が実行されるように構成されている。なお、強制アクセスフラグ「1」は、コード情報毎に必ず記憶されるものではなく、ユーザによって任意に設定できるように構成されている。例えば図１１の例では、コード情報1にはフラグ領域に強制アクセスフラグ「1」が設定されているが、コード情報1、コード情報3、コード情報4にはフラグ領域に強制アクセスフラグ「1」が設定されていない。
【００７８】
次に、図１２を参照して、図１１に示すPLUファイル14aのレコード構造の変形例に対応して売上データ処理装置１のＣＰＵ１０の制御の下で実行される登録処理を説明する。図１２は、この変形例に対応して売上データ処理装置１が実行する登録処理の動作を示すフローチャートである。
売上データ処理装置１は、まず、ステップＳ41において、入力部１１が操作されてキー入力があったか否か判別される。このステップＳ41でキー入力が有りと判別されると（ステップＳ41；YES）、ステップＳ42に進み、キー入力処理が実行される。また、ステップＳ41でキー入力が無いと判別されると（ステップＳ41；NO）、ステップＳ43に進む。
ステップＳ43では、スキャナ入力があったか否か、即ち、スキャナ部１８でコード情報が読み取られたか否かが判別される。
【００７９】
ステップＳ43で、スキャナ部１８でコード情報が読み取られていないと判別されると（ステップＳ43；NO）、ステップＳ41に戻り、入力部１１が操作されてキー入力があるか、スキャナ部１８でコード情報が読み取られるまで、ステップＳ41及びステップＳ43の処理が繰り返し実行される。そして、ステップＳ43において、スキャナ部１８でコード情報が読み取られたと判別されると（ステップＳ43；YES）、ステップＳ44に進む。
ステップＳ44では、読み取られたコード情報をスキャナ部１８から取得し、取得したコード情報をＲＡＭ１３の所定領域に格納する。
【００８０】
次のステップＳ45では、読み取られたコード情報に対応する商品情報（商品名、単価）をPLUファイル14aから検索する。即ち、ＣＰＵ１０は、PLUファイル14aの先頭レコードからコード情報を順次読み出し、ＲＡＭ１３に格納したコード情報と一致するか否かを判別し、最終レコードのコード情報を読み出すまで、処理を繰り返し実行する。そして、コード情報が一致した場合は、PLUファイル14aからコード情報と、商品名と、単価とを読み出してＲＡＭ１３の所定領域に格納しておく。
【００８１】
次のステップＳ46では、コード情報に対応する商品情報がPLUファイル14aから検索されたか否か判別される。このステップＳ46において、読み取られたコード情報に対応する商品情報がPLUファイル14aから検索された場合（ステップＳ46；YES）は、ステップＳ47に進む。
【００８２】
ステップＳ47においては、PLUファイル14aにおける読み取られたコード情報に対応するレコードの先頭領域に設けられたフラグ領域に強制アクセスフラグ「1」が記憶されているか否か判別される。このステップＳ47において、強制アクセスフラグ「1」が記憶されていると判別された場合（ステップＳ47；YES）は、ステップＳ48に進む。
また、ステップＳ46において、コード情報に対応する商品情報がPLUファイル14aから検索された場合もステップＳ48に進む。
ステップＳ48では、商品情報取得処理が実行される。この場合、ステップＳ48に示す商品情報取得処理は、上述したステップＳ17の商品情報取得処理と同様であるので、説明を省略する。そして、ステップＳ48の実行後は、ステップＳ49に進む。
【００８３】
また、ステップＳ47において、強制アクセスフラグ「1」が記憶されていないと判別された場合（ステップＳ47；NO）は、ステップＳ49が実行される。
ステップＳ49では、上述したステップＳ16と同様の処理が実行される。即ち、PLUファイル14aから検索された商品情報、即ち、商品名及び単価が売上データとして売上データファイル14bに登録される。このステップＳ49の商品情報登録が完了すると、ステップＳ41に戻る。この場合、ステップＳ49からステップＳ41に戻る前に、上述したステップＳ18〜Ｓ20と同様の処理を実行するようにしてもよい。
【００８４】
以上のように、本実施形態のネットワークシステム１００によれば、スキャナ部１８で入力したコード情報に対応する商品情報が売上データ処理装置１のPLUファイル14aに無い場合は、情報センタサーバ２からコード情報に対応する主商品の商品情報を取得すると共に、主商品に関連する関連商品のコード情報及び商品情報を同時に取得するように構成したので、ネットワークを効果的に利用することができる。
【図面の簡単な説明】
【００８５】
【図１】本発明の実施形態に係るネットワークシステムの全体構成を示す図である。
【図２】本実施形態に係る売上データ処理装置の主要構成を示すブロック図である。
【図３】本実施形態に係る情報センタサーバの主要構成を示すブロック図である。
【図４】売上データ処理装置における記憶部のファイル構成及び各ファイルのレコード構造を示す図である。
【図５】情報センタサーバにおける記憶部のファイル構成及び各ファイルのレコード構造を示す図である。
【図６】売上データ処理装置の送信データ及び受信データのデータ構成を示す図である。
【図７】売上データ処理装置で実行される登録処理の動作を示すフローチャートである。
【図８】売上データ処理装置で実行される商品情報取得処理の動作を示すフローチャートである。
【図９】情報センタサーバで実行される商品情報送信処理の動作を示すフローチャートである。
【図１０】商品情報データベースの変形例及び送信データと受信データの変形例を示す図である。
【図１１】PLUファイルのレコード構造の変形例を示す図である。
【図１２】図１１に示すPLUファイルのレコード構造の変形例に対応して、売上データ処理装置で実行される登録処理の動作を示すフローチャートである。
【符号の説明】
【００８６】
１００  ネットワークシステム
１  売上データ処理装置
２  情報センタサーバ
１０、２０  ＣＰＵ
１１、２１  入力部
１２、２３  表示部
１３、２２  ＲＡＭ
１４、２４  記憶部
１５、２５  通信部
１６  印字部
１７  ドロア
１８  スキャナ部
【図１】
2009053966.tif 000003
【図２】
2009053966.tif 000004
【図３】
2009053966.tif 000005
【図４】
2009053966.tif 000006
【図５】
2009053966.tif 000007
【図６】
2009053966.tif 000008
【図７】
2009053966.tif 000009
【図８】
2009053966.tif 000010
【図９】
2009053966.tif 000011
【図１０】
2009053966.tif 000012
【図１１】
2009053966.tif 000013
【図１２】
2009053966.tif 000014